(57)【要約】【課題】特殊工具を用いることなく、電気的な接続作業を行う。【解決手段】重ねられた第１端子１１と第２端子１２とを接続する端子接続部品１０であって、第１端子１１に対して回転規制された規制部１５と、第１端子１１、第２端子１２、及び規制部１５を貫通する軸部１３に固定されると共に第２端子１２を押圧する押圧部３５を有する回転部材１４と、軸部１３のうち規制部１５と反対側の端部に組み付けられると共に、軸部１３と電気的に絶縁された把持部３６を有するハンドル１６と、を備え、ハンドル１６を回転させることにより、軸部１３に設けられたカムピン１９と、規制部１５に設けられたカム部２８とが摺接して、規制部１５と押圧部３５との間で第１端子１１及び第２端子１２が挟まれる。【選択図】図１
2020061241.tif 000002
【特許請求の範囲】
【請求項１】
重ねられた第１端子と第２端子とを接続する端子接続部品であって、
前記第１端子に対して、前記第２端子と反対側において回転規制された規制部と、
前記第１端子、前記第２端子、及び前記規制部を貫通する軸部を有し、前記軸部に固定されると共に前記第２端子を押圧する押圧部を有する回転部材と、
前記軸部のうち前記規制部と反対側の端部に組み付けられると共に、前記軸部と電気的に絶縁された把持部を有するハンドルと、を備え、
前記ハンドルを回転させることにより、前記軸部に設けられたカムピンと、前記規制部に設けられたカム部とが摺接して、前記規制部と前記押圧部との間で前記第１端子及び前記第２端子が挟まれる、端子接続部品。
【請求項２】
蓄電モジュールであって、
電極端子を有するとともに、並び方向に沿って並べられた複数の蓄電素子と、
前記電極端子に重なる接続端子と、
前記電極端子に対して、前記接続端子と反対側において回転規制された規制部と、
前記電極端子、前記接続端子、及び前記規制部を貫通する軸部を有し、前記軸部に固定されると共に前記接続端子を押圧する押圧部を有する回転部材と、
前記軸部のうち前記規制部と反対側の端部に組み付けられると共に、前記軸部と電気的に絶縁された把持部を有するハンドルと、を備え、
前記ハンドルを回転させることにより、前記軸部に設けられたカムピンと、前記規制部に設けられたカム部とが摺接して、前記規制部と前記押圧部との間で前記電極端子及び前記接続端子が挟まれる、蓄電モジュール。
【請求項３】
前記ハンドルが回転して、前記ハンドルの延びる方向が前記並び方向に沿うように配された状態で、前記規制部と前記押圧部とによって前記電極端子と前記接続端子とが挟まれるようになっている、請求項２に記載の蓄電モジュール。
【請求項４】
前記接続端子は、隣り合う前記蓄電素子の前記電極端子同士を接続する、請求項２または請求項３に記載の蓄電モジュール。
【発明の詳細な説明】
【技術分野】
【０００１】
本明細書に開示された技術は、複数の端子を電気的に接続するための接続構造に関する。
【背景技術】
【０００２】
例えば電気自動車やハイブリッドカー等では、動力源等として、複数の蓄電素子を接続してなる蓄電モジュールが用いられることがある。更に、複数の蓄電モジュールが接続されたものが動力源とされる場合もある。複数の蓄電素子あるいは複数の蓄電モジュールを接続する場合、例えば特許文献１に記載されているように、バスバー等の接続部材を隣り合う蓄電素子のボルト状の電極端子間に配置して、電極端子にナットを締め付けることにより接続する。
【先行技術文献】
【特許文献】
【０００３】
【特許文献１】特開平１１−６７１８４号公報
【発明の概要】
【発明が解決しようとする課題】
【０００４】
しかしながら、複数の蓄電素子の電極端子に対してボルト締結を行う場合、電極端子には高電圧が印加されているので、高度に絶縁された特殊工具が用いられる。このため、製造コストが上昇する虞がある。また、特殊工具を用いた場合であっても、ボルト締結作業の安全性が懸念される。
【０００５】
本発明は上記のような事情に基づいて完成されたものであって、特殊工具を用いることなく、電気的な接続作業を行うことができる技術を提供することを目的とする。
【課題を解決するための手段】
【０００６】
本明細書に開示された技術は、重ねられた第１端子と第２端子とを接続する端子接続部品であって、前記第１端子に対して、前記第２端子と反対側において回転規制された規制部と、前記第１端子、前記第２端子、及び前記規制部を貫通する軸部を有し、前記軸部に固定されると共に前記第２端子を押圧する押圧部を有する回転部材と、
前記軸部のうち前記規制部と反対側の端部に組み付けられると共に、前記軸部と電気的に絶縁された把持部を有するハンドルと、を備え、前記ハンドルを回転させることにより、前記軸部に設けられたカムピンと、前記規制部に設けられたカム部とが摺接して、前記規制部と前記押圧部との間で前記第１端子及び前記第２端子が挟まれる。
【０００７】
上記の構成によれば、作業者が、軸部と電気的に絶縁された把持部を把持してハンドルを回転させることにより、第１端子と第２端子とが重ねられた状態で、規制部と押圧部とに挟圧される。これにより、作業者は絶縁性の材料からなるハンドルを操作することにより、特殊工具を用いることなく、第１端子と第２端子とを電気的に接続することができる。
【０００８】
また、本願明細書に開示された技術は、蓄電モジュールであって、電極端子を有するとともに、並び方向に沿って並べられた複数の蓄電素子と、前記電極端子に重なる接続端子と、前記電極端子に対して、前記接続端子と反対側において回転規制された規制部と、前記電極端子、前記接続端子、及び前記規制部を貫通する軸部を有し、前記軸部に固定されると共に前記接続端子を押圧する押圧部を有する回転部材と、
前記軸部のうち前記規制部と反対側の端部に組み付けられると共に、前記軸部と電気的に絶縁された把持部を有するハンドルと、を備え、前記ハンドルを回転させることにより、前記軸部に設けられたカムピンと、前記規制部に設けられたカム部とが摺接して、前記規制部と前記押圧部との間で前記電極端子及び前記接続端子が挟まれる。
【０００９】
上記の構成によれば、作業者が軸部と電気的に絶縁された把持部を把持してハンドルを回転させることにより、電極端子と接続端子とが重ねられた状態で、規制部と押圧部とに挟圧される。これにより、作業者は絶縁性の材料からなるハンドルを操作することにより、特殊工具を用いることなく、電極端子と接続端子とを電気的に接続することができる。
【００１０】
本明細書に開示された技術の実施態様としては以下の態様が好ましい。
【００１１】
前記ハンドルが回転して、前記ハンドルの延びる方向が前記並び方向に沿うように配された状態で、前記規制部と前記押圧部とによって前記電極端子と前記接続端子とが挟まれるようになっている。
【００１２】
上記の構成によれば、電極端子と接続端子とが電気的に接続された状態において、ハンドルは蓄電素子が並ぶ並び方向に沿って延びるように配されるので、ハンドルが蓄電素子の外部に突出しないようになっている。これにより、電極端子と接続端子とが電気的に接続された状態において、ハンドルが異物と衝突することによって電極端子と接続端子との電気的な接続が解除されてしまうことが抑制される。
【００１３】
前記接続端子は、隣り合う前記蓄電素子の前記電極端子同士を接続する。
【００１４】
上記の構成によれば、特殊工具を用いることなく、隣り合う蓄電素子の電極端子同士を電気的に接続することができる。
【発明の効果】
【００１５】
本明細書に開示された技術によれば、特殊工具を用いることなく、電気的な接続作業を行うことができる。
【図面の簡単な説明】
【００１６】
【図１】実施形態１に係る端子接続部品を示す分解斜視図
【図２】端子接続部品を示す分解斜視図
【図３】カム部を示す一部切欠拡大斜視図
【図４】規制部を示す底面図
【図５】回転部材を示す側面図
【図６】ハンドルを示す底面図
【図７】重ねられた状態の、規制部と、第１端子と、第２端子とに、回転部材が組み付けられたハンドルを取り付ける工程を示す斜視図
【図８】重ねられた状態の、規制部と、第１端子と、第２端子とに、回転部材が組み付けられたハンドルを取り付ける工程を示す斜視図
【図９】カムピンが解除位置にある状態における、ハンドルの配置を示す斜視図
【図１０】カムピンが解除位置にある状態における、ハンドルの配置を示す斜視図
【図１１】カムピンが解除位置にある状態を示す一部切欠拡大側面図
【図１２】カムピンが解除位置にある状態を示す一部切欠拡大斜視図
【図１３】カムピンが傾斜部の傾斜面に乗り上げた状態を示す一部拡大切欠側面図
【図１４】カムピンが傾斜部の傾斜面に乗り上げた状態を示す一部拡大切欠側面図
【図１５】カムピンが接続位置にある状態における、ハンドルの配置を示す斜視図
【図１６】カムピンが接続位置にある状態における、ハンドルの配置を示す斜視図
【図１７】カムピンが接続位置にある状態を示す一部切欠拡大斜視図
【図１８】カムピンが接続位置にある状態を示す一部切欠拡大側面図
【図１９】カムピンが接続位置にある状態を示す、端子接続部材の断面図
【図２０】実施形態２に係る蓄電モジュールを示す一部拡大斜視図
【図２１】ハンドル、回転部材、アッパーケース、接続端子、電極端子、規制部、及びロアケースを示す分解斜視図
【図２２】カムピンが解除位置にある状態における、ハンドルの配置を示す平面図
【図２３】カムピンが接続位置にある状態における、ハンドルの配置を示す平面図
【発明を実施するための形態】
【００１７】
＜実施形態１＞
本明細書に開示された技術を端子接続部品１０に適用した実施形態１を、図１から図１９を参照しつつ説明する。以下の説明においては、Ｚ方向を上方とし、Ｙ方向を前方とし、Ｘ方向を左方として説明する。
【００１８】
端子接続部品１０
図１及び図２に示すように、端子接続部品１０は、重ねられた状態の第１端子１１と第２端子１２とを貫通する軸部１３を有する回転部材１４と、第１端子１１に対して第２端子１２と反対側において回転規制された規制部１５と、軸部１３のうち規制部１５と反対側の端部に組み付けられるハンドル１６と、を備える。
【００１９】
第１端子１１
第１端子１１は、導電性の金属板材を所定の形状にプレス加工してなる。第１端子１１を構成する金属としては、銅、銅合金、アルミニウム、アルミニウム合金等、任意の金属を適宜に選択できる。第１端子１１は、上方から見て、前後方向に細長く延びた長方形状をなしている。
【００２０】
第１端子１１は、前端部寄りの位置に、上下方向に貫通する貫通孔１７を有する。貫通孔１７の孔縁は、上方から見て円形状をなす軸挿通部１８と、軸挿通部１８から前方及び後方に延びると共に、後述するカムピン１９が挿通されるピン挿通部２０と、を有する。軸挿通部１８の前部に設けられたピン挿通部２０と、軸挿通部１８の後部に設けられたピン挿通部２０とは、前後方向について対称な形状を有する。
【００２１】
第２端子１２
第２端子１２は、導電性の金属板材を所定の形状にプレス加工して形成されている。第２端子１２を構成する金属としては、銅、銅合金、アルミニウム、アルミニウム合金等、任意の金属を適宜に選択できる。第２端子１２は、上方から見て、前後方向に細長く延びた長方形状をなしている。第１端子１１を構成する金属と、第２端子１２を構成する金属とは、同じであってもよいし、異なっていてもよい。
【００２２】
第２端子１２は、後端部における左右方向の中央付近から前方に向かって凹んだ溝部２１を有する。溝部２１は上方から見て概ねＵ字状をなしている。溝部２１の前端部には、溝部２１の左右方向の幅寸法よりも幅狭なピン挿通部２２が、前方に延びて形成されている。このピン挿通部２２には、カムピン１９が挿通可能になっている。
【００２３】
規制部１５
第１端子１１の前端部寄りの位置には、第１端子１１の下方に、規制部１５が取り付けられている。規制部１５は、金属製であってもよいし、また、合成樹脂製であってもよい。規制部１５は、底壁２３と、底壁２３の左側縁及び右側縁から上方に延びる規制壁２４を有する。規制壁２４の、底壁２３の上面からの上方への高さ寸法は、第１端子１１の上下方向の厚さ寸法よりも小さく設定されている。底壁２３の左右方向の幅寸法と、第１端子１１の左右方向の幅寸法とは、同じであってもよく、また、同じでない場合であっても、実質的に同じと認定しうる場合も含む。
【００２４】
規制部１５が第１端子１１の下方から第１端子１１に組み付けられた状態で、規制部１５の各規制壁２４は、第１端子１１の左側面及び右側面に、それぞれ、当接するようになっている。これにより、規制部１５は、第１端子１１に対して相対的に回転することが規制されるようになっている（図７及び図８参照）。
【００２５】
図３及び図４に示すように、規制部１５の底壁２３は、前後方向及び左右方向について中央付近に、上下方向に貫通する貫通孔２５を有する。貫通孔２５の孔縁は、上方から見て、円形状をなす軸挿通部２６と、軸挿通部２６から前方及び後方に延びると共に、後述するカムピン１９が挿通されるピン挿通部２７と、を有する。軸挿通部２６の前部に設けられたピン挿通部２７と、軸挿通部２６の後部に設けられたピン挿通部２７とは、前後方向について対称な形状を有する。
【００２６】
第１端子１１に形成された貫通孔１７と、規制部１５の底壁２３に形成された貫通孔２５とは、上方から見て、同じ形状をなしていてもよいし、また、同じ形状でなくても実質的に同じと認定しうる形状であってもよい。
【００２７】
規制部１５の底壁２３の下面には、貫通孔２５の周囲に、下方に突出するカム部２８が設けられている。カム部２８は、下方から見て、前後方向に延びるピン挿通部２７から図４における反時計回り方向に沿ってに延びると共に下面に傾斜面２９が形成された傾斜部３０と、傾斜面２９から上方に凹むと共に左右方向に延びる受け溝３１と、受け溝３１から反時計回り方向に沿って延びると共に傾斜部３０よりも下方に突出した係止部３２と、を有する。
【００２８】
傾斜部３０の傾斜面２９は、ピン挿通部２７から受け溝３１に至るまで、緩やかに下方に傾斜するようになっている。受け溝３１の内面は、後述するカムピン１９の外周面に倣った形状に形成されている。受け溝３１のうち、係止部３２側における規制部１５の底壁２３からの突出高さ寸法は、傾斜面２９側における規制部１５の底壁２３からの突出高さ寸法よりも高く設定されている。
【００２９】
回転部材１４
図５に示すように、回転部材１４は、金属製であって、鋳造、切削加工等、公知の手法により所定の形状に形成される。回転部材１４は、上下方向に延びる軸部１３を有する。軸部１３は概ね上下方向に延びる円柱状をなしている。軸部１３の下端部寄りの位置には、左右方向に突出する円柱状をなす一対のカムピン１９が形成されている。左方に突出したカムピン１９と、右方に突出したカムピン１９とは、左右方向について対称に形成されている。
【００３０】
軸部１３の上端部は、後述するハンドル１６に挿入される挿入部３３とされる。挿入部３３の左側面、及び右側面には、それぞれ、当接面３４が形成されている。
【００３１】
軸部１３のうち、上下方向について、カムピン１９と挿入部３３の間の位置には、押圧部３５が、軸部１３と直交する方向に突出して形成されている。押圧部３５は、上下方向から見て円板状をなしている。本実施形態に係る押圧部３５は、軸部１３のうち上下方向の中央位置付近に形成されているが、押圧部３５は、上下方向について軸部１３の任意の位置に設けることができる。また、上下方向から見て押圧部３５の形状は、四角形、六角形等の多角形状でもよく、また、長円形状でもよく、任意の形状とすることができる。
【００３２】
上下方向について、カムピン１９の上面と、押圧部３５の下面との間隔は、規制部１５の底壁２３の厚さ寸法、第１端子１１の厚さ寸法、及び第２端子１２の厚さ寸法の和よりも、小さく設定されている。
【００３３】
ハンドル１６
軸部１３の上端部には、ハンドル１６が取り付けられるようになっている。細長く延びた板状をなす把持部３６と、把持部３６の一方の端部から下方に延びる軸固定部３７と、を有する。ハンドル１６は、絶縁性の合成樹脂を射出成型してなる。ハンドル１６を構成する合成樹脂は、強度を向上させる目的や、絶縁性を向上させる目的で合成樹脂に混練されるフィラーを含んでいてもよい。
【００３４】
図６に示すように、軸固定部３７の外形は、下方から見て円形状をなしている。軸固定部３７の下面には上方に向けて延びる挿入孔３８が形成されている。軸固定部３７の内面には、軸部１３の挿通部に形成された当接面３４に対応する位置に、被当接面３９が形成されている。軸部１３の当接面３４と、軸固定部３７の被当接面３９とが当接することにより、ハンドル１６が、軸固定部３７に対して回転規制された状態で、固定されるようになっている。
【００３５】
電気的な接続構造
下から順に、規制部１５と、第１端子１１と、第２端子１２とが重ねられた状態で、規制部１５、第１端子１１、及び第２端子１２に軸部１３が貫通されるようになっている。このとき、軸部１３のカムピン１９は、規制部１５のピン挿通部２７、第１端子１１のピン挿通部２０、及び第２端子１２のピン挿通部２２に上方から下方に向けて挿通される。カムピン１９の外径寸法は、規制部１５のピン挿通部２７、第１端子１１のピン挿通部２０、及び第２端子１２のピン挿通部２２の、左右方向の幅寸法よりも小さく設定されている。
【００３６】
カムピン１９の突出方向と、規制部１５のピン挿通部２７、第１端子１１のピン挿通部２０、及び第２端子１２のピン挿通部２２の延びる方向とが、同じ向きに配された状態では、カムピン１９の上面は規制部１５の底壁２３とは離間している。このため、第１端子１１と第２端子１２に対しては、互いに接触する方向の力が加わらないようになっている。この状態におけるカムピン１９の位置が、解除位置とされる。
【００３７】
一方、図１９に示すように、カムピン１９の突出方向と、規制部１５のピン挿通部２７、第１端子１１のピン挿通部２０、及び第２端子１２のピン挿通部２２の延びる方向とが、直交する向きに配された状態では、カムピン１９の上面は、カム部２８の受け溝３１と当接するようになっている。これにより、カムピン１９は、規制部１５のカム部２８に対して、上方に押圧する力を加える。これにより、規制部１５と、回転部材１４の押圧部３５との間に第１端子１１と第２端子１２とが挟みつけられる。すると、軸部１３が、カム部２８の受け溝３１の底面からの突出高さ寸法の分だけ、上下方向について弾性的に延びるように変形する。この結果、軸部１３が収縮する方向の弾発力が、カムピン１９と、押圧部３５との間に働く。すると、カムピン１９が当接する規制部１５と、押圧部３５とから、第１端子１１と第２端子１２とが互いに接近する方向の力が、第１端子１１及び第２端子１２に加えられる。これにより、第１端子１１と第２端子１２とが電気的に接触する。この状態におけるカムピン１９の位置が、接続位置とされる。
【００３８】
端子接続部品１０の接続方法
続いて、本実施形態に係る端子接続部品１０により、第１端子１１と第２端子１２とを電気的に接続する方法について説明する。
【００３９】
図７及び図８に示すように、規制部１５の底壁２３の上に、第１端子１１を重ねる。このとき、規制部１５の規制壁２４が、第１端子１１の側面に当接するようにする。更に、規制部１５の貫通孔２５と、第１端子１１の貫通孔１７とが対応する位置に配されるようにする。
【００４０】
第１端子１１の上に、第２端子１２を重ねる。このとき、第１端子１１の貫通孔１７と、第２端子１２の溝部２１の前端部とが対応する位置に配されるようにする。これにより、規制部１５の貫通孔２５、第１端子１１の貫通孔１７、及び第２端子１２の溝部２１が、上下方向について対応する位置に並ぶように配される。
【００４１】
図９及び図１０に示すように、軸部１３の挿入部３３を、ハンドル１６の挿入孔３８に下方から挿入する。このとき、軸部１３の当接面３４と、ハンドル１６の被当接面３９とが当接するようにする。これにより、軸部１３に対してハンドル１６が固定される。
【００４２】
重ねられた状態の規制部１５、第１端子１１、及び第２端子１２に対し、上方から、軸部１３の下端部を、規制部１５の貫通孔２５、第１端子１１の貫通孔１７、及び第２端子１２の溝部２１に上方から挿入する。このとき、カムピン１９の突出方向を、各ピン挿通部２０，２２，２７の延びる方向に対応させる。これにより、軸部１３を、規制部１５の貫通孔２５、第１端子１１の貫通孔１７、及び第２端子１２の溝部２１に挿通させる。
【００４３】
このとき、図１１及び図１２に示すように、回転部材１４の押圧部３５が第２端子１２の上面に上方から当接した状態で、カムピン１９の上面は、規制部１５とは離間している。カムピン１９は、規制部１５の貫通孔２５に設けられたピン挿通部２７に対応する位置に配されているからである。
【００４４】
さて、作業者が、ハンドル１６の把持部３６を持って、ハンドル１６を、図９及び図１０における矢線Ａに示す方向に回転させる。すると、カムピン１９も、図１２における矢線Ａに示す方向に回転する。
【００４５】
更に作業者がハンドル１６を回転させると、図１３及び図１４に示すように、カムピン１９は傾斜面２９に沿って摺接し、カム部２８の傾斜部３０に設けられた傾斜面２９に乗り上げる。これにより、カムピン１９は、規制部１５の底壁２３の下面から離間する方向に移動する。
【００４６】
更に、作業者が、図１５及び図１６に示す位置までハンドル１６を回転させると、カムピン１９は、カム部２８の受け溝３１に嵌る（図１７及び図１８参照）。このとき、カムピン１９は係止部３２に係止することにより、回り止めされる。
【００４７】
図１９に示すように、この状態で、カムピン１９の上面はカム部２８の受け溝３１に下方から当接する。一方、押圧部３５は第２端子１２に対して上方から当接している。これにより、カムピン１９は、規制部１５のカム部２８に対して、上方に押圧する力を加える。これにより、規制部１５と、回転部材１４の押圧部３５との間に第１端子１１と第２端子１２とが挟みつけられる。すると、軸部１３が、カム部２８の受け溝３１の底面からの突出高さ寸法の分だけ、上下方向について弾性的に延びるように変形する。この結果、軸部１３が収縮する方向の弾発力が、カムピン１９と、押圧部３５との間に働く。すると、カムピン１９が当接する規制部１５と、押圧部３５とから、第１端子１１と第２端子１２とが互いに接近する方向の力が、第１端子１１及び第２端子１２に加えられる。これにより、第１端子１１と第２端子１２とが電気的に接触する。
【００４８】
続いて、本実施形態の作用効果について説明する。本実施形態は、重ねられた第１端子１１と第２端子１２とを接続する端子接続部品１０であって、第１端子１１に対して、第２端子１２と反対側において回転規制された規制部１５と、第１端子１１、第２端子１２、及び規制部１５を貫通する軸部１３を有し、軸部１３に固定されると共に第２端子１２を押圧する押圧部３５を有する回転部材１４と、軸部１３のうち規制部１５と反対側の端部に組み付けられると共に、軸部１３と電気的に絶縁された把持部３６を有するハンドル１６と、を備え、ハンドル１６を回転させることにより、軸部１３に設けられたカムピン１９と、規制部１５に設けられたカム部２８とが摺接して、規制部１５と押圧部３５との間で第１端子１１及び第２端子１２が挟まれる。
【００４９】
上記の構成によれば、作業者が、軸部１３と電気的に絶縁された把持部３６を把持してハンドル１６を回転させることにより、第１端子１１と第２端子１２とが重ねられた状態で、規制部１５と押圧部３５とに挟圧される。これにより、作業者は絶縁性の材料からなるハンドル１６を操作することにより、特殊工具を用いることなく、第１端子１１と第２端子１２とを電気的に接続することができる。
【００５０】
＜実施形態２＞
次に、本明細書に開示された技術の実施形態２を図２０から図２３を参照しつつ説明する。本実施形態に係る蓄電モジュール５０は、電極端子５１を有する複数の蓄電素子５２が並べられた状態で、隣り合う電極端子５１同士が電気的に接続されている。なお、複数の同一部材については、一部の部材にのみ符号を付し、他の部材の符号を省略する場合がある。
【００５１】
蓄電素子５２
蓄電素子５２の内部には、図示しない蓄電要素が収容されている。図２０に示すように、蓄電素子５２の上面には、板状をなす電極端子５１が、蓄電要素と電気的に接続された状態で取り付けられている。蓄電素子５２には２つの電極端子５１が取り付けられており、一方が正極で、他方が負極とされている。複数の蓄電素子５２は、左右方向（並び方向の一例）に並んで配されている。
【００５２】
図２１に示すように、電極端子５１は金属板材を所定の形状にプレス加工して形成されている。電極端子５１を構成する金属は、銅、銅合金、アルミニウム、アルミニウム合金等、任意の金属を選択することができる。正極の電極端子５１を構成する金属と、負極の電極端子５１を構成する金属は、同じであってもよいし、また、異なっていてもよい。
【００５３】
電極端子５１は上方から見て長方形状をなしている。電極端子５１の左右両側縁には、前後方向の中央付近に、位置決め溝５４が陥没して形成されている。電極端子５１の後端部寄りの位置には、蓄電要素と電気的に接続するための内部接続部５５が設けられている。
【００５４】
電極端子５１の前端部寄りの位置には、上下方向に貫通する貫通孔５６が形成されている。貫通孔５６の孔縁は、上方から見て、円形状をなす軸挿通部５７と、軸挿通部５７から前方及び後方に延びると共に、後述するカムピン１９が挿通されるピン挿通部５８と、を有する。
【００５５】
電極端子５１のうち、位置決め溝５４よりも前方の領域には、規制部１５が下方から取り付けれている規制部１５が電極端子５１の下方から電極端子５１に組み付けられた状態で、規制部１５の規制壁２４は、電極端子５１の左側面及び右側面に当接するようになっている。これにより、規制部１５は、電極端子５１に対して相対的に回転することが規制されるようになっている。
【００５６】
ロアケース５９
規制部１５の下方には、絶縁性の合成樹脂を射出成型してなるロアケース５９が配されている。ロアケース５９は、規制部１５が組み付けられた状態の電極端子５１の前端部が収容される収容部６０を有する。収容部６０は上方から見て、規制部１５よりもやや大きな長方形状をなしている。収容部６０は、後面が開放された開口部６１とされている。開口部６１の孔縁部の下端部には、左右方向の内方に突出する位置決めリブ６２が上方に延びて形成されている。この位置決めリブ６２が、電極端子５１の位置決め溝５４に嵌入することにより、ロアケース５９と、電極端子５１との位置決めがなされるようになっている。
【００５７】
接続端子６３
電極端子５１のうち位置決め溝５４よりも前方の領域には、接続端子６３が上方から重ねられるようになっている。接続端子６３は、導電性の金属板材を所定の形状にプレス加工してなる。接続端子６３を構成する金属は、銅、銅合金、アルミニウム、アルミニウム合金等、任意の金属を選択することができる。
【００５８】
接続端子６３は、電極端子５１の上に重ねられる一対の端子部６４と、端子部６４の前端部同士を接続する連結部６５と、を有する。端子部６４は、後端部から前方に向かって凹んだ溝部６６を有する。溝部６６の前端部には、溝部６６の左右方向の幅寸法よりも幅狭なピン挿通部６７が、前方に延びて形成されている。
【００５９】
アッパーケース６８
規制部１５、電極端子５１、及び接続端子６３が組み付けられたロアケース５９の上部には、アッパーケース６８が組み付けられるようになっている。アッパーケース６８は、絶縁性の合成樹脂を射出成型して形成される。アッパーケース６８は、上方から見て長方形状をなす上壁６９と、上壁６９の側縁から下方に延びる側壁７０と、を有する。上壁６９には、接続端子６３の端子部６４の上方の位置に、上方から見て円形状をなす窓部７１が開口されている。窓部７１の形状は、回転部材１４の押圧部３５と同じか、やや大きく設定されている。これにより、窓部７１内に押圧部３５が上方から挿入可能になっている。
【００６０】
ロアケース５９の収容部６０の前端部と、アッパーケース６８のうち窓部７１が形成されている領域の前方の部分には、接続端子６３の端子部６４が前方に導出される導出口７２が、前方に開口して形成されている。
【００６１】
ハンドル７３
回転部材１４の軸部１３の上端部には、ハンドル７３が取り付けられるようになっている。ハンドル７３は、細長く延びた板状をなす把持部７４と、把持部７４の一方の端部から下方に延びる軸固定部７５と、を有する。ハンドル７３は、絶縁性の合成樹脂を射出成型してなる。ハンドル７３を構成する合成樹脂は、強度を向上させる目的や、絶縁性を向上させる目的で合成樹脂に混練されるフィラーを含んでいてもよい。
【００６２】
軸固定部７５は、下方から見て円形状をなすと共に、回転部材１４の押圧部３５に上方から重なる蓋部７６を有する。蓋部７６の外形状は、押圧部３５の外形状と同じか、やや大きく設定されている。これにより、回転部材１４にハンドル７３が取り付けられた状態で、押圧部３５は蓋部７６に上方から覆われた状態になっている。
【００６３】
電気的な接続構造
下から順に、規制部１５と、電極端子５１と、接続端子６３の端子部６４とが重ねられた状態で、規制部１５、電極端子５１、及び接続端子６３に軸部１３が貫通されるようになっている。このとき、軸部１３のカムピン１９は、規制部１５のピン挿通部２７、電極端子５１のピン挿通部５８、及び接続端子６３のピン挿通部６７に上方から下方に向けて挿通される。カムピン１９の外径寸法は、規制部１５のピン挿通部２７、電極端子５１のピン挿通部５８、及び接続端子６３のピン挿通部６７の、左右方向の幅寸法よりも小さく設定されている。
【００６４】
カムピン１９の突出方向と、規制部１５のピン挿通部２７、電極端子５１のピン挿通部５８、及び接続端子６３のピン挿通部６７の延びる方向とが、同じ向きに配された状態では、カムピン１９の上面は規制部１５の底壁２３とは離間している。このため、電極端子５１と接続端子６３に対しては、互いに接触する方向の力が加わらないようになっている。この状態におけるカムピン１９の位置が、解除位置とされる。このとき、図２２に示すように、ハンドル７３の把持部７４は、前後方向（蓄電素子５２の並び方向と直交する方向）に延びている。
【００６５】
一方、カムピン１９の突出方向と、規制部１５のピン挿通部２７、電極端子５１のピン挿通部５８、及び接続端子６３のピン挿通部６７の延びる方向とが、直交する向きに配された状態では、カムピン１９の上面は、カム部２８の受け溝３１と当接するようになっている。これにより、カムピン１９は、規制部１５のカム部２８に対して、上方に押圧する力を加える。これにより、規制部１５と、回転部材１４の押圧部３５との間に電極端子５１と接続端子６３とが挟みつけられる。すると、軸部１３が、カム部２８の受け溝３１の底面からの突出高さ寸法の分だけ、上下方向について弾性的に延びるように変形する。この結果、軸部１３が収縮する方向の弾発力が、カムピン１９と、押圧部３５との間に働く。すると、カムピン１９が当接する規制部１５と、押圧部３５とから、電極端子５１と接続端子６３とが互いに接近する方向の力が、電極端子５１及び接続端子６３に加えられる。これにより、電極端子５１と接続端子６３とが電気的に接触する。この状態におけるカムピン１９の位置が、接続位置とされる。図２３に示すように、接続位置におけるハンドル７３の延びる方向は、左右方向（蓄電素子５２の並び方向）に沿って延びている。
【００６６】
上記以外の構成については、実施形態１と略同様なので、同一部材については同一符号を付し、重複する説明を省略する。
【００６７】
続いて、本実施形態の作用効果について説明する。本実施形態に係る蓄電モジュール５０は、電極端子５１を有するとともに、並び方向に沿って並べられた複数の蓄電素子５２と、電極端子５１に重なる接続端子６３と、電極端子５１に対して、接続端子６３と反対側において回転規制された規制部１５と、電極端子５１、接続端子６３、及び規制部１５を貫通する軸部１３を有し、軸部１３に固定されると共に接続端子６３を押圧する押圧部３５を有する回転部材１４と、軸部１３のうち規制部１５と反対側の端部に組み付けられると共に、軸部１３と電気的に絶縁された把持部７４を有するハンドル７３と、を備え、ハンドル７３を回転させることにより、軸部１３に設けられたカムピン１９と、規制部１５に設けられたカム部２８とが摺接して、規制部１５と押圧部３５との間で電極端子５１及び接続端子６３が挟まれるようになっている。
【００６８】
上記の構成によれば、作業者が軸部１３と電気的に絶縁された把持部７４を把持してハンドル７３を回転させることにより、電極端子５１と接続端子６３とが重ねられた状態で、規制部１５と押圧部３５とに挟圧される。これにより、作業者は絶縁性の材料からなるハンドル７３を操作することにより、特殊工具を用いることなく、電極端子５１と接続端子６３とを電気的に接続することができる。
【００６９】
また、本実施形態によれば、ハンドル７３が回転して、ハンドル７３の延びる方向が並び方向に沿うように配された状態で、規制部１５と押圧部３５とによって電極端子５１と接続端子６３とが挟圧されるようになっている。
【００７０】
上記の構成によれば、電極端子５１と接続端子６３とが電気的に接続された状態において、ハンドル７３は蓄電素子５２が並ぶ並び方向に沿って延びるように配されるので、ハンドル７３が蓄電素子５２の外部に突出しないようになっている。これにより、電極端子５１と接続端子６３とが電気的に接続された状態において、ハンドル７３が異物と衝突することによって電極端子５１と接続端子６３との電気的な接続が解除されてしまうことが抑制される。
【００７１】
また、本実施形態によれば、接続端子６３は、隣り合う蓄電素子５２の電極端子５１同士を接続するようになっている。
【００７２】
上記の構成によれば、特殊工具を用いることなく、隣り合う蓄電素子５２の電極端子５１同士を電気的に接続することができる。
【００７３】
＜他の実施形態＞
本明細書に開示された技術は上記記述及び図面によって説明した実施形態に限定されるものではなく、例えば次のような実施形態も本明細書に開示された技術の技術的範囲に含まれる。
【００７４】
（１）ハンドルの形状は、細長く延びる形状に限られず、任意の形状とすることができる。
【００７５】
（２）実施形態２に係る蓄電モジュール５０においては、接続端子６３は隣り合う電極端子５１同士を接続する構成としたが、これに限られず、接続部材は、１つの端子部６４を有して、１つの電極端子５１に接続される構成であってもよい。
【００７６】
（３）実施形態２においては、接続端子６３は隣り合う電極端子５１同士を接続する構成としたが、これに限定されない。例えば、蓄電モジュール５０から外部電源に電力を供給する電力線に接続されるサービスプラグに適用してもよい。
【００７７】
（４）実施形態１に係る端子接続部品１０は、広く電気機器における端子の接続構造に適用することができる。
【００７８】
（５）実施形態２に係るハンドル７３は、接続位置においては、蓄電素子５２の並び方向に沿って延びる配置とされたが、これに限られず、ハンドル１６は、接続位置において、並び方向と交差する方向に延びる配置としてもよい。
【００７９】
（６）実施形態１に係る規制部１５は、第１端子１１に一体に形成される構成としてもよい。また、実施形態２に係る規制部１５は、電極端子５１に一体に形成される構成としてもよい。
【００８０】
（７）ハンドルは、軸固定部及び把持部が金属からなり、この把持部に、絶縁性の材料からなる絶縁部材が被覆された構成としてもよい。
【００８１】
（８）実施形態２に係る接続端子６３は、２つの端子部６４を有する構成としたが、これに限られず、３つ以上の端子部６４を有する構成としてもよい。３つ以上の端子部６４を有する接続端子６３は、３つ以上の蓄電素子５２が並列接続される場合に好適に用いることができる。
【符号の説明】
【００８２】
１０：端子接続部品
１１：第１端子
１２：第２端子
１３：軸部
１４：回転部材
１５：規制部
１６，７３：ハンドル
１９：カムピン
２８：カム部
３５：押圧部
３６，７４：把持部
５０：蓄電モジュール
５２：蓄電素子
５１：電極端子
６３：接続端子
【図１】
2020061241.tif 000003
【図２】
2020061241.tif 000004
【図３】
2020061241.tif 000005
【図４】
2020061241.tif 000006
【図５】
2020061241.tif 000007
【図６】
2020061241.tif 000008
【図７】
2020061241.tif 000009
【図８】
2020061241.tif 000010
【図９】
2020061241.tif 000011
【図１０】
2020061241.tif 000012
【図１１】
2020061241.tif 000013
【図１２】
2020061241.tif 000014
【図１３】
2020061241.tif 000015
【図１４】
2020061241.tif 000016
【図１５】
2020061241.tif 000017
【図１６】
2020061241.tif 000018
【図１７】
2020061241.tif 000019
【図１８】
2020061241.tif 000020
【図１９】
2020061241.tif 000021
【図２０】
2020061241.tif 000022
【図２１】
2020061241.tif 000023
【図２２】
2020061241.tif 000024
【図２３】
2020061241.tif 000025